(57)【特許請求の範囲】
【請求項１】
光軸と平行に設けられた軸と、
前記軸に回転可能に設けられ、光軸を通過可能な絞り穴が形成された第１の絞り羽根と、
前記軸に回転可能に設けられ、前記光軸を通過可能な絞り穴が形成され、前記第１の絞り羽根に積層された第２の絞り羽根と、
前記第１及び第２の絞り羽根に係合し、前記第１の絞り羽根を一方の方向に、前記第２の絞り羽根を他方の方向にそれぞれ付勢する付勢手段と、
前記軸と前記光軸とを含む平面に直交し、前記光軸を介して前記軸と反対側に回転可能に設けられ、周面におねじが刻設された第１のねじ部,該第１のおねじ部と逆方向のおねじが刻設された第２のおねじ部が形成されたねじ棒と、
該ねじ棒を回転駆動する駆動手段と、
前記ねじ棒と平行に設けられたガイドと、  
前記ねじ棒の第１のおねじ部に螺合すると共に、前記ガイドに摺動可能に遊嵌し、前記付勢手段によって付勢された前記第１の絞り羽根が押接する第１のスライダと、
前記ねじ棒の第２のおねじ部に螺合すると共に、前記ガイドに摺動可能に遊嵌し、前記付勢手段によって付勢された前記第２の絞り羽根が押接する第２のスライダと、
からなることを特徴とする絞り機構。
【請求項２】
光軸と平行に設けられた軸と、
前記軸に回転可能に設けられ、光軸を通過可能な絞り穴が形成された第１の絞り羽根と、
前記軸に回転可能に設けられ、前記光軸を通過可能な絞り穴が形成され、前記第１の絞り羽根に積層された第２の絞り羽根と、
前記軸と前記光軸とを含む平面に直交し、前記光軸を介して前記軸と反対側に回転可能に設けられ、周面におねじが刻設された第１のねじ部,該第１のおねじ部と逆方向のおねじが刻設された第２のおねじ部が形成されたねじ棒と、
該ねじ棒を回転駆動する駆動手段と、
前記第１の絞り羽根の回転端部に設けられ、前記ねじ棒の第１のおねじ部のおねじの谷に係合する突起が形成された第１のスライダと、
前記第２の絞り羽根の回転端部に設けられ、前記ねじ棒の第２のおねじ部のおねじの谷に係合する突起が形成された第２のスライダと、
からなることを特徴とする絞り機構。
【発明の詳細な説明】
【０００１】
【発明の属する技術分野】
本発明は、レンズ光学系に設けられる絞り機構に関する。
【０００２】
【従来の技術】
次に、図面を用いて従来例を説明する。図１０は従来の絞り機構の構成図である。図において、レンズ光学系の光軸（Ｏ）と直交する平面上に配置されるベースプレート１の一方の側には、受光開口１ａが開設されている。また、ベースプレート１の他方の側には、出力軸にねじ３を用いてレバー２が取付けられた駆動源４が配設されている。
【０００３】
ベースプレート１上に配設される第１の絞り板５には、ベースプレート１上に立設されたガイドピン６が係合するガイド穴５ａと、ベースプレート１上に立設されたガイドピン７が係合し、ガイド穴５ａと平行なガイド穴５ｂとが形成され、第１の絞り板５はベースプレート１上で一方向にのみ移動可能となっている。
【０００４】
第１の絞り板５に積層載置される第２の絞り板８には、ベースプレート１上に立設されたガイドピン９が係合するガイド穴８ａと、ベースプレート１上に立設されたガイドピン１０が係合し、ガイド穴８ａと平行なガイド穴８ｂとが形成され、第２の絞り板８もベースプレート１上で一方向にのみ移動可能となっている。
【０００５】
更に、第１の絞り板５の一方の端部と、第２の絞り板８の中央部とには、それぞれベースプレート１の受光開口１ａに対向する絞り穴５ｃ，８ｃとが開設されている。
【０００６】
レバー２の二つの回転端部には、それぞれ第１の絞り板５と第２の絞り板８の他方の端部に形成され、各絞り板５，８の移動方向と略直交する方向に延出する長穴５ｅ，８ｅに遊嵌するピン１１，１２が取付けられている。更に、これらのピン１１，１２はベースプレート１に形成された円弧状の長穴１ｂ，ｄに係合している。
【０００７】
従って、駆動源４が駆動され、レバー２が図において、矢印Ｉ方向に回転すると、第１の絞り板５は矢印ＩＩ方向へ、第２の絞り板８は矢印ＩＩＩ方向へそれぞれ移動し、第１の絞り板５の絞り穴５ｃ以外の部分によって受光開口１ａは隠蔽される。
【０００８】
逆に、レバー２が反矢印Ｉ方向に回転すると、第１の絞り板５は反矢印ＩＩ方向へ、第２の絞り板８は反矢印ＩＩＩ方向へそれぞれ移動し、第１の絞り板５の絞り穴５ｃと第２の絞り板８の絞り穴８ｃとが、ベースプレート１の受光開口１ａ上で重なり合う。この時の２つの絞り穴５ｃ，８ｃの重なり合いの度合いを変化させることにより、ベースプレート１の受光開口１ａを通過する光量が変化し、例えば、Ｆ１１，Ｆ５．６，Ｆ２．８等の絞りを得ることができる。
【０００９】
尚、この絞り機構には、駆動源１の非駆動時において、受光開口を１ａ常時隠蔽するために、中間部がベースプレート１上に設けられ、駆動源１の駆動軸と同軸上に設けられたピン１３に巻回し、一方の端部がベースプレート１に形成された切り起こし部１ｄに係合し、他方の端部がレバー２に係合し、レバー２を矢印Ｉ方向に付勢するトーションスプリング１４が設けられている。
【００１０】
【発明が解決しようとする課題】
しかし、上記構成の絞り機構においては、構成が複雑で、部品点数も多く、コストが高いという問題点がある。
【００１１】
また、高精度な絞り値を得るためには、各部品の寸法精度を高くし、且つ、組み付けにも熟練を要する問題点がある。
更に、駆動源４の回転運動を第１及び第２の絞り板５，８の直線運動に変換する為に、レバー２のピン１１は第１の絞り板５の長穴５ｅに対して遊嵌し、レバー２のピン１２は第２の絞り板８の長穴８ｅに対して遊嵌している。よって、第１の絞り板５と第２の絞り板８との間にガタが発生し、精度の高い絞り値を得ることができない問題点もある。
【００１２】
本発明は、上記問題点に鑑みてなされたもので、その目的は、簡単な構成で、且つ、安価で、高精度の絞り機構を提供することにある。
【００１３】
【課題を解決するための手段】
上記課題を解決する第１の発明の絞り機構は、光軸を介して、前記光軸と平行に設けられた第１及び第２の軸と、該第１の軸に回転可能に設けられ、前記光軸を通過可能な第１の絞り穴を有する第１の絞り羽根と、前記第１の絞り羽根と積層配置されると共に、前記第２の軸に回転可能に設けられ、前記光軸を通過可能な第２の絞り穴を有する第２の絞り羽根と、前記第１及び第２の絞り羽根に係合し、前記第１の絞り羽根と前記第２の絞り羽根とをそれぞれ回転駆動する駆動手段とを具備したものである。
【００１４】
駆動手段が駆動されると、第１の絞り羽根は第１の軸を中心に回転し、第２の絞り羽根は第２の軸を中心に回転する。
第１の絞り羽根の第１の絞り穴と第２の絞り羽根の第２の絞り穴とが互いに近づく方向に回転し、第１の絞り羽根の第１の絞り穴と、第２の絞り羽根の第２の絞り穴とが光軸近傍で重なり合う場合には、これらの絞り穴の重なりあった部分を光が通過する。第１の絞り穴と第２の絞り穴の重なる大きさを変化させることにより、所望の絞り値を得ることができる。
【００１５】
この状態から第１の絞り羽根と第２の絞り羽根とが互いに離れる方向に回転すると、第１の絞り穴と第２の絞り穴との重なりが無くなり、光を全く通さない全閉状態となる。
【００１６】
第１の絞り羽根と第２の絞り羽根とは回転運動をするので、駆動源との係合にガタがなく、簡単な構成で、高精度の絞り値を得ることができる。
ここで、前記軸は撮像光学系の鏡胴に設けられたレンズ系を案内するガイドシャフトであることが望ましい。
【００１７】
即ち、光軸に対して高精度に位置決めされたガイドシャフトを用いることにより、高精度な絞り値を得ることができる。
前記第１及び第２の絞り羽根と前記駆動手段との係合の一例としては、前記駆動手段の出力軸に設けられたピニオンと、前記第１及び第２の絞り羽根の外縁に形成され、前記ピニオンと噛合するギヤ部とがある。
【００１８】
更に、絞り羽根の外縁に形成されたウォームホール部と、前記駆動手段の出力軸に取付けられ、前記ウォームホイール部に噛合するウォームであってもよい。
更に、前記駆動手段はステッピングモータであることが望ましい。
【００１９】
即ち、永久磁石を用いたＰＭ型のステッピングモータを用いることにより、非励磁時においても、その位置を保持するので、消費電力の低減が図れる。
更にまた、一方の端部が前記第１の絞り羽根に係止され、他方の端部が前記第２の絞り羽根に係止され、前記第１及び第２の絞り羽根をそれぞれ逆方向に付勢する付勢手段を設けることが望ましい。
【００２０】
この付勢手段を設けることで、駆動手段のピニオンと第１及び第２の絞り羽根のギヤ部とのバックラッシュを無くすることができる。また、この付勢手段は、第１及び第２の絞り羽根をそれぞれ逆方向に付勢するので、付勢力は第１及び第２の絞り羽根と駆動手段との係合部分においては均衡し、駆動時のトルクロスがほとんどない。
【００２１】
更に、前記付勢手段は、光軸方向の分力を有するように設けることが望ましい。
即ち、光軸方向の分力により、第１の絞り羽根と第２の絞り羽根とが押接し、光のケラレが防止でき、正確な絞り値を得ることができる。
【００２２】
また、前記第１の絞り羽根と前記第２の絞り羽根のギヤ部の厚さは他の部分の厚さより厚く設定されていることが望ましい。
即ち、絞り穴の近傍はできるだけ薄い方が、ケラレが無くなり、正確な絞り値を得ることができる。
【００２３】
更に、前記第１及び第２の絞り羽根のギヤ部と、他の部分とは別部品であってもよい。
別部品とすることで、絞り羽根の位置調整が容易となる。
【００２４】
第２の発明の絞り機構は、レンズ系を光軸方向に案内する軸と、該軸に回転可能に設けられ、光軸を通過可能で、開口面積の異なる複数の絞り穴が形成された絞り羽根と、該絞り羽根に係合し、前記絞り羽根を回転駆動する駆動手段とを具備したものである。
【００２５】
駆動手段が駆動されると、絞り羽根は軸を中心に回転し、絞り羽根に形成された開口面積の異なる複数の絞り穴のうちの一つが光軸上に位置することにより、所望の絞り値を得ることができる。
【００２６】
絞り羽根は回転運動をするので、駆動源との係合にガタがなく、簡単な構成で、高精度の絞り値を得ることができる。
更に、レンズ系を光軸方向に案内する軸、即ち、ガイドシャフトにガイドシャフトを回転可能に設けたことにより、高精度な絞り値を得ることができ、また、ガイドシャフトが絞り羽根の回転を邪魔することもない。
【００２７】
ここで、前記絞り羽根と前記駆動手段との係合の一例としては、絞り羽根の外縁に形成されたギヤ部と、前記駆動手段の出力軸に取付けられ、前記ギヤ部に噛合するピニオンがある。
【００２８】
更に、絞り羽根の外縁に形成されたウォームホール部と、前記駆動手段の出力軸に取付けられ、前記ウォームホイール部に噛合するウォームであってもよい。
また、絞り羽根のギヤ部と、他の部分とは別部品であってもよい。
【００２９】
別部品とすることで、絞り羽根の位置調整が容易となる。
第３の発明は、光軸と平行に設けられた軸と、前記軸に回転可能に設けられ、光軸を通過可能な絞り穴が形成された第１の絞り羽根と、前記軸に回転可能に設けられ、前記光軸を通過可能な絞り穴が形成され、前記第１の絞り羽根に積層された第２の絞り羽根と、前記第１及び第２の絞り羽根に係合し、前記第１の絞り羽根を一方の方向に、前記第２の絞り羽根を他方の方向にそれぞれ付勢する付勢手段と、前記軸と前記光軸とを含む平面に直交し、前記光軸を介して前記軸と反対側に回転可能に設けられ、周面におねじが刻設された第１のねじ部，該第１のおねじ部と逆方向のおねじが刻設された第２のおねじ部が形成されたねじ棒と、該ねじ棒を回転駆動する駆動手段と、前記ねじ棒と平行に設けられたガイドと、前記ねじ棒の第１のおねじ部に螺合すると共に、前記ガイドに摺動可能に遊嵌し、前記付勢手段によって付勢された前記第１の絞り羽根が押接する第１のスライダと、前記ねじ棒の第２のおねじ部に螺合すると共に、前記ガイドに摺動可能に遊嵌し、前記付勢手段によって付勢された前記第２の絞り羽根が押接する第２のスライダとからなる。
【００３０】
駆動手段がねじ棒を回転駆動すると、第１のスライダと第２のスライダは逆方向、即ち、互いに接近する方向または離反する方向に移動する。
そして、第１及び第２のスライダが移動することにより、第１及び第２の絞り羽根が光軸と平行な軸を中心として回転する。第１の絞り羽根の絞り穴と第２の絞り羽根の絞り穴とが光軸近傍で重なり合う場合には、これらの絞り穴の重なりあった部分を光が通過する。第１の絞り穴と第２の絞り穴の重なる大きさを変化させることにより、所望の絞り値を得ることができる。
【００３１】
また、第１の絞り羽根と第２の絞り羽根との絞り穴との重なりが無くなると、光を全く通さない全閉状態となる。
絞り羽根は回転運動をするので、駆動源との係合にガタがなく、簡単な構成で、高精度の絞り値を得ることができる。
【００３２】
第４の発明は、光軸と平行に設けられた軸と、前記軸に回転可能に設けられ、光軸を通過可能な絞り穴が形成された第１の絞り羽根と、前記軸に回転可能に設けられ、前記光軸を通過可能な絞り穴が形成され、前記第１の絞り羽根に積層された第２の絞り羽根と、前記軸と前記光軸とを含む平面に直交し、前記光軸を介して前記軸と反対側に回転可能に設けられ、周面におねじが刻設された第１のねじ部，該第１のおねじ部と逆方向のおねじが刻設された第２のおねじ部が形成されたねじ棒と、前記第１の絞り羽根の回転端部に前記ねじ棒の第１のおねじ部のおねじの谷に係合する突起が形成された第１のスライダと、前記第２の絞り羽根の回転端部に前記ねじ棒の第２のおねじ部のおねじの谷に係合する突起が形成された第２のスライダとからなる。
【００３３】
駆動手段がねじ棒を回転駆動すると、第１及び第２の絞り羽根の回転端部に回転可能に設けられた第１のスライダと第２のスライダは逆方向、即ち、互いに接近する方向または離反する方向に移動する。
【００３４】
そして、第１及び第２のスライダが移動することにより、第１及び第２の絞り羽根が光軸と平行な軸を中心として回転する。
第１の絞り羽根の絞り穴と第２の絞り羽根の絞り穴とが光軸近傍で重なり合う場合には、これらの絞り穴の重なりあった部分を光が通過する。第１の絞り羽根の絞り穴と第２の絞り羽根の絞り穴の重なる大きさを変化させることにより、所望の絞り値を得ることができる。
【００３５】
また、第１の絞り羽根の絞り穴と第２の絞り羽根の絞り穴との重なりが無くなると、光を全く通さない全閉状態となる。
絞り羽根は回転運動をするので、駆動源との係合にガタがなく、簡単な構成で、高精度の絞り値を得ることができる。
【００３６】
【発明の実施の形態】
次に図面を用いて本発明の実施の形態を説明する。
（１）  第１の実施の形態例
図１から図５を用いて本発明の第１の実施の形態例を説明する。図１は本発明の第１の実施の形態例を説明する図で、（ａ）図は断面図、（ｂ）図は（ａ）図において蓋を取り除いた時の上面図、図２は本発明の第１の実施の形態例を説明する図で、（ａ）図は図１の（ａ）図における側面部分断面図、（ｂ）図は図１の（ａ）図において切断線Ａ−Ａにおける断面図、図３は図１における要部分解斜視図、図４は図３において組み付け時の要部を説明する斜視図、図５は図１における絞り羽根の作動を説明する図である。
【００３７】
これらの図において、２０は上面が開放された断面形状が矩形の鏡胴である。２１は鏡胴２０の上面を覆う蓋である。この鏡胴２０の前部には開口２０ａが開設され、この開口２０ａには前玉レンズ２２が設けられている。２３，２４は鏡胴２０の光軸Ｏを介して対称な位置に光軸Ｏと平行に設けられた第１及び第２のガイドシャフトである。
【００３８】
２５は第１及び第２のガイドシャフト２３，２４に摺動可能に係合し、フォーカスレンズ群２５ａを保持するフォーカスレンズホルダである。
第２のガイドシャフト２４には、鏡胴２０の開口２０ａが開設された壁面（光軸Ｏに対して垂直な面）に当接配置され、光軸Ｏを通過可能な第２の絞り穴２７ａが形成された第２の絞り羽根２７が回転可能に設けられている。
【００３９】
第１のガイドシャフト２４には、第２の絞り羽根２７と積層配置されると共に、光軸Ｏを通過可能な第１の絞り穴２６ａが形成された第１の絞り羽根２６が回転可能に取付けられている。
【００４０】
２８は、一方の端部が第１の絞り羽根２６一方（上部）の回転端部に係止され、他方の端部が第２の絞り羽根２７の一方（上部）の回転端部に係止され、第１の絞り羽根２６と第２の絞り羽根２７とをそれぞれ逆方向、即ち、図１（ａ）において、第１の絞り羽根２６を反時計方向、第２の絞り羽根２７を時計方向に付勢するスプリングである。
【００４１】
また、このスプリング２８の一方の端部は、第１の絞り羽根２６に、他方の端部は第１の絞り羽根２６に積層配置された第２の絞り羽根２７に係止されているので、光軸Ｏ方向の分力を有し、第１及び第２の絞り羽根２６，２７を互いに押接せしめている。
【００４２】
第１及び第２の絞り羽根２６，２７の他方（下部）の回転端部は、鏡胴２０の底面に形成されたスリット２０ｂを介して外部に突出している。３０は鏡胴２０の外部に設けられ、出力軸にピニオン３１が設けられた駆動手段としてのＰＭ型のステッピングモータである。このピニオン３１は第１及び第２の絞り羽根２６，２７の他方の回転端部に互いに交差するように形成された円弧状のギヤ部２６ｂ，２７ｂに噛合している。
【００４３】
また、図３に示すように、鏡胴２０の底面には、第２の絞り羽根２７の鏡胴２０の内壁面に当接する面と反対側の面に当接する突起２０ｃが形成され、第２の絞り羽根２７の第２のガイドシャフト２４の軸方向の位置決めがなされている。
【００４４】
一方、第１の絞り羽根２６の第１のガイドシャフト２３との係合部分は、一方の端面が鏡胴２０の内壁面に当接し、他方の端面が鏡胴２０の底面に形成された突起２０ｄに当接する筒部２６ｃを設け、第１の絞り羽根２６の第１のガイドシャフト２３の軸方向の位置決めがなされている。
【００４５】
３５は第１の絞り羽根２６の位置を検出するフォトインタラプタである。
次に、図５を用いて上記構成の絞り機構の作動を説明する。
（ａ）に示す全閉状態から、駆動手段であるステッピングモータ３０の出力軸に取付けられたピニオン３１を反時計方向に回転駆動すると、ピニオン３１に噛合するギヤ部２６ｂを有する第１の絞り羽根２６は第１のガイドシャフト２３を中心に時計方向に回転する。また、ピニオン３１に噛合するギヤ部２７ｂを有する第２の絞り羽根２７は第２のガイドシャフト２４を中心に時計方向に回転する。
【００４６】
すると、第１の絞り羽根２６の第１の絞り穴２６ａと第２の絞り羽根２７の第２の絞り穴２７ａとが互いに近づく方向に移動し、第１の絞り羽根２６の第１の絞り穴２６ａと、第２の絞り羽根２７の第２の絞り穴２７ａとが光軸（Ｏ）近傍で重なり合い、これらの絞り穴２６ａ，２７ａの重なりあった部分を光が通過する。
【００４７】
第１の絞り穴と第２の絞り穴の重なる大きさを変化させることにより、（ｂ）図のようなＦ１１、（ｃ）図のようなＦ５．６、（ｄ）図のようなＦ２．８（全開）のように、所望の絞り値を得ることができる。
【００４８】
これら（ｂ），（ｃ），（ｄ）図の状態から、ピニオン３１を先程とは逆方向、即ち、時計方向に回転駆動すると、第１の絞り羽根２６と、第２の絞り羽根２７とは反時計方向に回転し、第１の絞り穴２６ａと第２の絞り穴２７ａとは離反する方向に移動し、（ａ）図に示す全閉状態に復帰する。
【００４９】
このような構成によれば、第１の絞り羽根２６と第２の絞り羽根２７とは第１のガイドシャフト２３と第２のガイドシャフト２４とに対して、回転運動をするので、駆動源であるステッピングモータ３０のピニオン３１との係合にガタがなく、簡単な構成で、高精度の絞り値を得ることができる。
【００５０】
また、フォーカスレンズホルダ２５光軸Ｏに沿って案内するために、高精度に位置決めされた第１及び第２のガイドシャフト２３，２４に、第１及び第２の絞り羽根２６，２７を回転可能に取付けたことにより、高精度な絞り値を得ることができる。
【００５１】
更に、駆動手段として、永久磁石を用いたＰＭ型のステッピングモータ３０を用いることにより、非励磁時においても、その位置を保持するので、消費電力の低減が図れる。
【００５２】
更にまた、一端部が第１の絞り羽根２６に、他端部が第２の絞り羽根２７に係止され、第１及び第２の絞り羽根２６，２７をそれぞれ逆方向に付勢する付勢手段としてのスプリング２８を設けたことにより、ピニオン３１と第１及び第２の絞り羽根２６，２７のギヤ部２６ｂ，２７ｂとのバックラッシュを無くすることができる。また、このスプリング２８は、第１及び第２の絞り羽根２６，２７をそれぞれ逆方向に付勢するので、付勢力は第１及び第２の絞り羽根２６，２７とピニオン３１との噛合部分においては均衡し、駆動時のトルクロスがほとんどない。
【００５３】
また、スプリング２８の付勢力は、光軸Ｏ方向の分力を有しているので、第１及び第２の絞り羽根２６，２７間の隙間が発生せず、正確な絞り値を得ることができる。
【００５４】
尚、本発明は、上記実施の形態例に限定するものではない。上記実施の形態例においては、第１及び第２の絞り羽根２６，２７のギヤ部２６ｂ，２７ｂと、第１及び第２の絞り穴２６ａ，２７ａ近傍の他の部分とは同じ厚さであった。これをギヤ部２６ｂ，２７ｂの部分の厚さを厚くして充分なギヤ強度を確保すると共に、第１及び第２の絞り穴２６ａ，２７ａ近傍の他の部分の厚さを薄くして、絞り穴２６ａ，２７ａにてケラレがないようにしてもよい。
【００５５】
また、絞り穴２６ａ，２７ａの位置調整を容易にする観点より、第１及び第２の絞り羽根２６，２７のギヤ部２６ｂ，２７ｂと、第１及び第２の絞り穴２６ａ，２７ａ近傍の他の部分とを別部品としてもよい。
【００５６】
即ち、絞り羽根２６，２７を取付けた後、ステッピングモータ３０をねじ止め等の手法で、鏡胴２０に取付けると、ステッピングモータ３０が駆動軸を中心に回転し、絞り羽根２６，２７も回転し、第１及び第２の絞り穴２６ａ，２７ａの位置がずれる恐れがある。しかし、第１及び第２の絞り羽根２６，２７のギヤ部２６ｂ，２７ｂと、第１及び第２の絞り穴２６ａ，２７ａ近傍の他の部分とを別部品とすることで、第１及び第２の絞り穴２６ａ，２７ａ近傍のみを再度位置調整することにより、このような問題点を解消することができる。
【００５７】
更に、上記実施の形態例においては、第１及び第２のガイドシャフト２３，２４を光軸Ｏを介して対称な位置に配設したが、第１及び第２の絞り羽根２６，２７の第１及び第２の絞り穴２６ａ，２７ａの位置及び形状を適宜選定することにより、第１及び第２のガイドシャフト２３，２４を光軸に関して非対称な位置に設けてもよい。
（２）  第２の実施の形態例
図６を用いて本発明の第２の実施の形態例を説明する。図６は本発明の第２の実施の形態例を説明する構成図である。尚、本実施の形態例を説明する図６と、第１の実施の形態例を説明する図１〜図５において、同一部分には同一符号を付し、それらの詳細な説明は省略する。
【００５８】
本実施の形態例と第１の実施の形態例との相違点は、駆動部である。第１の実施の形態例では、ピニオン３１をステッピングモータ３０の出力軸に取付けていたが、本実施の形態例においては、ステッピングモータを鏡胴２０の側方に配置し、ステッピングモータの出力軸側に小径プーリ４０を、ピニオン３１側に大径プーリ４１を設け、ベルト４２を両者のプーリ４０，４１間を巻き掛け、ステッピングモータを減速するようにした。
【００５９】
本実施の形態例においても、第１の実施の形態例と同様な効果を得ることができる。
（３）  第３の実施の形態例
図７を用いて本発明の第３の実施の形態例を説明する。図７は本発明の第２の実施の形態例を説明する構成図である。
【００６０】
図において、５０は鏡胴、５１，５２は光軸Ｏを介して対称な位置に、光軸Ｏと平行に設けられた第１及び第２のガイドシャフトである。第２のガイドシャフト５２には、大径ギヤ５３が回転可能に設けられている。更に、大径ギヤ５３には、光軸Ｏを通過可能で、開口面積の異なる複数（本実施の形態例では二つ）の絞り穴５４ａ，５４ｂが開設された絞り羽根５４が取付けられている。
【００６１】
５５は駆動源としてのステッピングモータで、このステッピングモータ５５の出力軸には大径ギヤ５３に噛合するピニオン５６が取付けられている。
次に、上記構成の作動を説明する。ステッピングモータ５５が駆動すると、ピニオン５６を介して大径ギヤ５３が回転し、絞り羽根５４上に形成された絞り穴５４ａ，５４ｂのどちらか一方の絞り穴が光軸Ｏ上に位置すると、所望の絞りを得ることができる。
【００６２】
上記構成によれば、簡単な構成で、且つ、安価な絞り機構を実現できる。また、絞り羽根５４は回転運動をするので、ステッピングモータ５５との係合にガタがなく、簡単な構成で、高精度の絞り値を得ることができる。
【００６３】
また、絞り羽根５４は、高精度に位置決めされた第２のガイドシャフト５２に、絞り羽根５４を有した大径ギヤ５３を回転可能に取付けたことにより、高精度な絞り値を得ることができる。
【００６４】
更に、絞り羽根５４を大径ギヤ５３と別部品としたことにより、絞り羽根５４を位置調整が簡単に行なうことができる。
（４）  第４の実施の形態例
図８を用いて本発明の第４の実施の形態例を説明する。図８は本発明の第３の実施の形態例を説明する構成図である。
【００６５】
図において、６０は鏡胴内で、光軸Ｏと平行に設けられたガイドシャフトである。このガイドシャフトには、光軸Ｏを通過可能な絞り穴６１ａが形成された第１の絞り羽根６１と、この第１の絞り羽根６１に積層され、光軸Ｏを通過可能な絞り穴６２ａが形成された第２の絞り羽根６２とがそれぞれ回転可能に取付けられている。
【００６６】
第１及び第２の絞り羽根６１，６２は中間部がガイドシャフト６０に巻回し、一方の端部が第１の絞り羽根６１に、他方の端部が第２の絞り羽根６２にそれぞれ係合し、第１の絞り羽根６１は一方の方向（本実施の形態例では、図において時計方向）に、第２の絞り羽根６２は他方の方向（本実施の形態例では反時計方向）にそれぞれ付勢されている。
【００６７】
６３はガイドシャフト６０と光軸Ｏとを含む平面に直交し、光軸Ｏを介してガイドシャフト６０と反対側に回転可能に設けられ、周面におねじが刻設された第１のねじ部６３ａ，第１のおねじ部６３ａと逆方向のおねじが刻設された第２のおねじ部６３ｂが形成されたねじ棒である。
【００６８】
このねじ棒６３はモータ６４によって回転駆動されるようになってる。また、６５はねじ棒６３と平行に設けられたガイドである。
６６はねじ棒６３の第１のおねじ部６３ａに螺合すると共に、ガイド６５に摺動可能に遊嵌し、図示しない付勢手段によって付勢された第１の絞り羽根６１が押接する第１のスライダ、６７はねじ棒６３の第２のおねじ部６３ｂに螺合すると共に、ガイド６５に摺動可能に遊嵌し、付勢手段によって付勢された第２の絞り羽根６２が押接する第２のスライダである。
【００６９】
次に、上記構成の作動を説明する。モータ６４ががねじ棒６３を回転駆動すると、第１のスライダ６６と第２のスライダ６７は逆方向、即ち、互いに接近する方向または離反する方向に移動する。
【００７０】
第１及び第２のスライダ６６，６７が互いに接近する方向に移動すると、付勢手段の付勢力に抗して第１絞り羽根６１が反時計方向に、第２の絞り羽根６２が時計方向に回転し、第１及び第２の絞り穴６１ａ，６２ａが光軸Ｏ近傍で重なり合う。これらの絞り穴６１ａ，６２ａの重なりあった部分を光が通過する。第１の絞り穴６１ａと第２の絞り穴６２ａの重なる大きさを変化させることにより、所望の絞り値を得ることができる。
【００７１】
また、この状態から第１及び第２のスライダ６６，６７が互いに離反する方向に移動すると、付勢手段の付勢力により、第１の絞り羽根６１が反時計方向に、第２の絞り羽根６２が時計方向に回転し、第１の絞り羽根６１，第２の絞り羽根６２の絞り穴６１ａ，６２ａとの重なりが無くなると、光を全く通さない全閉状態となる。
【００７２】
上記構成によれば、絞り羽根６１，６２は回転運動をするので、駆動源との係合にガタがなく、簡単な構成で、高精度の絞り値を得ることができる。
（５）  第５の実施の形態例
図９を用いて本発明の第５の実施の形態例を説明する。図９は本発明の第５の実施の形態例を説明する構成図で、（ａ）図は正面図、（ｂ）図は（ａ）図における切断線Ｃ−Ｃにおける断面図、（ｃ）図は（ａ）図におけるスライダの斜視図である。
【００７３】
図において、７０は光軸と平行に設けられたガイドシャフト、７１はガイドシャフト７０に回転可能に設けられ、光軸Ｏを通過可能な絞り穴７１ａが形成された第１の絞り羽根、７２はガイドシャフト７０に回転可能に設けられ、光軸Ｏを通過可能な絞り穴７２ａが形成され、第１の絞り羽根７１に積層された第２の絞り羽根７２である。
【００７４】
７３はガイドシャフト７０と光軸Ｏとを含む平面に直交し、光軸Ｏを介してガイドシャフト７０と反対側に回転可能に設けられ、周面におねじが刻設された第１のねじ部７３ａ，第１のおねじ部７３ａと逆方向のおねじが刻設された第２のおねじ部７３ｂが形成されたねじ棒である。
【００７５】
第１の絞り羽根７１の回転端部には、ねじ棒７３の第１のおねじ部７３ａのおねじの谷に係合する突起７４ａが形成された第１のスライダ７４が回転可能に取付けられている。同様に、第２の絞り羽根７２の回転端部にも、ねじ棒７３の第２のおねじ部７３ｂのおねじの谷に係合する突起７５ａが形成された第２のスライダ７５が回転可能に取付けられている。
【００７６】
７６はねじ棒７３を回転駆動する駆動源としてのモータである。
次に、上記構成の作動を説明する。モータ７５がねじ棒７３を回転駆動すると、第１及び第２の絞り羽根７１，７２の回転端部に回転可能に設けられた第１のスライダ７４と第２のスライダ７５は逆方向、即ち、互いに接近する方向または離反する方向に移動する。
【００７７】
そして、第１及び第２のスライダ７４，７５が移動することにより、第１及び第２の絞り羽根７１，７２が光軸Ｏと平行な軸であるガイドシャフト７０を中心として回転する。
【００７８】
第１の絞り羽根７１の絞り穴７１ａと第２の絞り羽根７２の絞り穴と７２ａが光軸Ｏ近傍で重なり合う場合には、これらの絞り穴７１ａ，７２ａの重なりあった部分を光が通過する。第１の絞り羽根７１の絞り穴７１ａと第２の絞り羽根７２の絞り穴７２ａの重なる大きさを変化させることにより、所望の絞り値を得ることができる。
【００７９】
また、第１の絞り羽根７１の絞り穴７１ａと第２の絞り羽根７２の絞り穴７２ａとの重なりが無くなると、光を全く通さない全閉状態となる。
上記構成によれば、第１及び第２の絞り羽根７１，７２は回転運動をするので、駆動源との係合にガタがなく、簡単な構成で、高精度の絞り値を得ることができる。
【００８０】
尚、本発明は上記実施の形態例に限定するものではない。上記実施例では、第１及び第２のスライダ７４，７５を第１及び第２の絞り羽根７１，７２に対して回転可能に設けたが、第１及び第２のスライダ７４，７５の突起７４ａ，７５ａとねじ棒７３のねじの谷に対する係合を遊嵌状態にすることにより、第１及び第２のスライダ７４，７５を第１及び第２の絞り羽根７１，７２に対して固着してもよい。
【００８１】
更に、第１及び第２の絞り羽根７１，７２の回転端部にねじ棒７３のねじの谷に係合（遊嵌）する突起を一体的に形成し、突起をスライダとしてもよい。
【００８２】
【発明の効果】
以上述べたように第１の発明の絞り機構によれば、光軸を介して前記光軸と平行に設けられた第１及び第２の軸と、該第１の軸に回転可能に設けられ、前記光軸を通過可能な第１の絞り穴を有する第１の絞り羽根と、前記第１の絞り羽根と積層配置されると共に、前記第２の軸に回転可能に設けられ、前記光軸を通過可能な第２の絞り穴を有する第２の絞り羽根と、前記第１及び第２の絞り羽根に係合し、前記第１の絞り羽根と前記第２の絞り羽根とをそれぞれ回転駆動する駆動手段とを具備した。
【００８３】
第１の絞り羽根と第２の絞り羽根とは回転運動をするので、駆動源との係合にガタがなく、簡単な構成で、高精度の絞り値を得ることができる。
また、光軸に対して高精度に位置決めされたガイドシャフトを用いることにより、高精度な絞り値を得ることができる。
【００８４】
更に、永久磁石を用いたＰＭ型のステッピングモータを用いることにより、非励磁時においても、その位置を保持するので、消費電力の低減が図れる。
更にまた、一方の端部が前記第１の絞り羽根に係止され、他方の端部が前記第２の絞り羽根に係止され、前記第１及び第２の絞り羽根をそれぞれ逆方向に付勢する付勢手段を設けたことにより、駆動手段のピニオンと第１及び第２の絞り羽根のギヤ部とのバックラッシュを無くすることができる。また、この付勢手段は、第１及び第２の絞り羽根をそれぞれ逆方向に付勢するので、付勢力は第１及び第２の絞り羽根と駆動手段との係合部分においては均衡し、駆動時のトルクロスがほとんどない。
【００８５】
更に、前記付勢手段は、光軸方向の分力を有するように設けたことにより、１の絞り羽根と第２の絞り羽根とが押接し、ケラレがなくなり、正確な絞り値を得ることができる。
【００８６】
また、前記第１の絞り羽根と前記第２の絞り羽根のギヤ部の厚さは他の部分の厚さより厚く設定したことにより、ケラレが無くなり、正確な絞り値を得ることができる。
【００８７】
更に、前記第１及び第２の絞り羽根のギヤ部と、他の部分とは別部品とすることで、駆動源取付け時に発生する絞り羽根のずれを再度調整することができる。第２の発明の絞り機構によれば、レンズ系を光軸方向に案内する軸と、該軸に回転可能に設けられ、光軸を通過可能で、開口面積の異なる複数の絞り穴が形成された絞り羽根と、該絞り羽根に係合し、前記絞り羽根を回転駆動する駆動手段とを具備したことにより、絞り羽根は回転運動をするので、駆動源との係合にガタがなく、簡単な構成で、高精度の絞り値を得ることができる。
【００８８】
また、絞り羽根のギヤ部と、他の部分とは別部品とすることで、絞り羽根の位置調整が容易となる。
第３の発明の絞り機構によれば、光軸と平行に設けられた軸と、前記軸に回転可能に設けられ、光軸を通過可能な絞り穴が形成された第１の絞り羽根と、前記軸に回転可能に設けられ、前記光軸を通過可能な絞り穴が形成され、前記第１の絞り羽根に積層された第２の絞り羽根と、前記第１及び第２の絞り羽根に係合し、前記第１の絞り羽根を一方の方向に、前記第２の絞り羽根を他方の方向にそれぞれ付勢する付勢手段と、前記軸と前記光軸とを含む平面に直交し、前記光軸を介して前記軸と反対側に回転可能に設けられ、周面におねじが刻設された第１のねじ部，該第１のおねじ部と逆方向のおねじが刻設された第２のおねじ部が形成されたねじ棒と、該ねじ棒を回転駆動する駆動手段と、前記ねじ棒と平行に設けられたガイドと、前記ねじ棒の第１のおねじ部に螺合すると共に、前記ガイドに摺動可能に遊嵌し、前記付勢手段によって付勢された前記第１の絞り羽根が押接する第１のスライダと、前記ねじ棒の第２のおねじ部に螺合すると共に、前記ガイドに摺動可能に遊嵌し、前記付勢手段によって付勢された前記第２の絞り羽根が押接する第２のスライダとから構成したことにより、絞り羽根は回転運動をするので、駆動源との係合にガタがなく、簡単な構成で、高精度の絞り値を得ることができる。
【００８９】
第４の発明の絞り機構によれば、光軸と平行に設けられた軸と、前記軸に回転可能に設けられ、光軸を通過可能な絞り穴が形成された第１の絞り羽根と、前記軸に回転可能に設けられ、前記光軸を通過可能な絞り穴が形成され、前記第１の絞り羽根に積層された第２の絞り羽根と、前記軸と前記光軸とを含む平面に直交し、前記光軸を介して前記軸と反対側に回転可能に設けられ、周面におねじが刻設された第１のねじ部，該第１のおねじ部と逆方向のおねじが刻設された第２のおねじ部が形成されたねじ棒と、前記第１の絞り羽根の回転端部に設けられ、前記ねじ棒の第１のおねじ部のおねじの谷に係合する突起が形成された第１のスライダと、前記第２の絞り羽根の回転端部に設けられ、前記ねじ棒の第２のおねじ部のおねじの谷に係合する突起が形成された第２のスライダとから構成したことにより、絞り羽根は回転運動をするので、駆動源との係合にガタがなく、簡単な構成で、高精度の絞り値を得ることができる。を実現することができる。
【図面の簡単な説明】
【図１】本発明の第１の実施の形態例を説明する図で、（ａ）図は断面図、（ｂ）図は（ａ）図において蓋を取り除いた時の上面図である。
【図２】本発明の第１の実施の形態例を説明する図で、（ａ）図は図１の（ａ）図における側面部分断面図、（ｂ）図は図１の（ａ）図において切断線Ａ−Ａにおける断面図である。
【図３】図１における要部分解斜視図である。
【図４】図３において組み付け時の要部を説明する斜視図である。
【図５】図１における絞り羽根の作動を説明する図である。
【図６】本発明の第３の実施の形態例を説明する構成図である。
【図７】本発明の第２の実施の形態例を説明する構成図である。
【図８】本発明の第４の実施の形態例を説明する図である。
【図９】本発明の第５の実施の形態例を説明する図である。
【図１０】従来の絞り機構の構成図である。
【符号の説明】
２３  第１のガイドシャフト
２４  第２のガイドシャフト
２６  第１の絞り羽根
２６ａ  第１の絞り穴
２７  第２の絞り羽根
２７ａ  第２の絞り穴
３０  ステッピングモータ
【図１】
0003550236.tif 000002
【図２】
0003550236.tif 000003
【図３】
0003550236.tif 000004
【図４】
0003550236.tif 000005
【図５】
0003550236.tif 000006
【図６】
0003550236.tif 000007
【図７】
0003550236.tif 000008
【図８】
0003550236.tif 000009
【図９】
0003550236.tif 000010
【図１０】
0003550236.tif 000011